(57)【特許請求の範囲】
【請求項１】
乾燥剤を充填したエアドライヤにより空気を乾燥し、該乾燥空気をオゾン発生器に供給してオゾンを発生させ、該オゾンをアスピレータにより原水と混合させてオゾン水を製造するとともに、オゾン水の製造停止時にエアポンプにより前記エアドライヤに乾燥空気供給時と逆方向に再生用空気を送給して乾燥剤を再生するようにしたオゾン水製造装置において、
前記エアドライヤとオゾン発生器及びアスピレータを管路により直列に接続するとともに、オゾン発生器とアスピレータとを接続する管路に３ポート電磁切換弁を介装し、該３ポート電磁切換弁の遊休ポートに前記エアポンプを管路により接続して、エアドライヤとアスピレータとをオゾン発生器を介して接続するオゾン供給管路と、エアポンプとエアドライヤとをオゾン発生器を介して接続する再生用空気送給管路を交互に切換えて開閉できるようにしたことを特徴とするオゾン水製造装置。
【請求項２】
前記オゾン供給管路におけるオゾン発生器と３ポート電磁切換弁間に第１逆止弁を介装する一方、前記再生用空気送給管路に該第１逆止弁及び前記オゾン発生器をバイパスするバイパス管路を設け、該バイパス管路に第２逆止弁を介装したことを特徴とする請求項１に記載のオゾン水製造装置。
【発明の詳細な説明】
【０００１】
【発明の属する技術分野】
本発明は、オゾン水製造装置に関するものである。
【０００２】
【従来の技術】
図４に示すように従来のオゾン水製造装置は、乾燥剤を充填したエアドライヤａとオゾン発生器ｂとを接続する管路ｃに３ポート電磁切換弁ｆを介装し、該３ポート電磁切換弁ｆの遊休ポートにエアポンプｄを管路ｅにより接続し、さらにオゾン発生器ｂとアスピレータｇを接続する管路ｈに逆流防止用の別の電磁切換弁ｉを介装していた。３ポート電磁切換弁ｆはエアドライヤａとオゾン発生器ｂとを接続する管路ｃと、エアポンプｄとエアドライヤａとを接続する管路ｈを切換えて開閉するものである。また、電磁切換弁ｉは、オゾン水の製造停止時にオゾン発生器ｂとアスピレータｇとを接続する管路ｈを遮断して、アスピレータｇから原水が逆流してオゾン発生器ｂに侵入するのを防止するものである。
尚、図中ｊは原水中に混合しきれなかった余剰オゾンガスを分離する気液分離器を示す。
【０００３】
【発明が解決しようとする課題】
しかしながら、従来のオゾン水製造装置は、上記のように２個の電磁切換弁ｆ，ｉを介装させているため、コスト高となっていた。
本発明は上記した問題点を解決するためになされたもので、１個の電磁切換弁を介装した管路構成として、製造コストの低減を図ることができるオゾン水製造装置を提供することを目的とする。また、オゾン水製造運転開始当初から高濃度のオゾンを発生することができるオゾン水製造装置を提供することを第２の目的とする。
【０００４】
【課題を解決するための手段】
上記の目的を達成するための請求項１に記載されたオゾン水製造装置は、乾燥剤を充填したエアドライヤにより空気を乾燥し、該乾燥空気をオゾン発生器に供給してオゾンを発生させ、該オゾンをアスピレータにより原水と混合させてオゾン水を製造するとともに、オゾン水の製造停止時にエアポンプにより前記エアドライヤに乾燥空気供給時と逆方向に再生用空気を送給して乾燥剤を再生するようにしたオゾン水製造装置において、前記エアドライヤとオゾン発生器及びアスピレータを管路により直列に接続するとともに、オゾン発生器とアスピレータとを接続する管路に３ポート電磁切換弁を介装し、該３ポート電磁切換弁の遊休ポートに前記エアポンプを管路により接続して、エアドライヤとアスピレータとをオゾン発生器を介して接続するオゾン供給管路と、エアポンプとエアドライヤとをオゾン発生器を介して接続する再生用空気送給管路を交互に切換えて開閉できるようにしたことを特徴とする。
【０００５】
また、請求項２に記載されたオゾン水製造装置は、請求項１に記載の構成において、前記オゾン供給管路におけるオゾン発生器と３ポート電磁切換弁間に第１逆止弁を介装する一方、前記再生用空気送給管路に該第１逆止弁及び前記オゾン発生器をバイパスするバイパス管路を設け、該バイパス管路に第２逆止弁を介装したことを特徴とする。
【０００６】
【作用及び発明の効果】
上記請求項１に記載のオゾン水製造装置によれば、オゾン水製造時は３ポート電磁切換弁により、再生用空気送給管路を閉じ、オゾン供給管路を開く。オゾン水製造停止時及びエアドライヤの乾燥剤の再生時は、オゾン供給管路を閉じ、再生用空気送給管路を開く。従来装置に於いてオゾン供給管路の遮断用と再生用空気送給用に２個必要であった電磁切換弁を１個に削減でき、製造コストの低減を図ることができる効果を有する。
【０００７】
また、請求項２に記載のオゾン水製造装置によれば、オゾン水製造時に３ポート電磁切換弁により、再生用空気送給管路を閉じオゾン供給管路を開くと、第２逆止弁によりバイパス管路が閉じられ、エアドライヤからオゾン発生器に乾燥空気が供給される。そして、オゾン水製造停止時及びエアドライヤの乾燥剤の再生時は、３ポート電磁切換弁によりオゾン供給管路を閉じ、再生用空気送給管路を開く。オゾン水の製造停止時に乾燥剤を再生するため、エアポンプにより再生用空気送給管路に再生用空気を送給すると、第１逆止弁によりオゾン発生器への管路が閉じられ、再生用空気はバイパス管路によりオゾン発生器を迂回してエアドライヤに乾燥空気供給時と逆方向に送給される。従って、乾燥されていない再生用空気がオゾン発生器を通過しないから、オゾン発生器の内部が乾燥した状態に保たれ、オゾン水製造運転開始当初から高濃度のオゾンを発生することができる。
【０００８】
【発明の実施の形態】
（第１実施形態）
本発明の第１実施形態について添付図面を参照して説明する。図１は本実施形態に係るオゾン水製造装置１の概略ブロック図である。このオゾン水製造装置１は、エアドライヤ２、オゾン発生器３、アスピレータ４、エアポンプ５及び気液分離器６とから構成されている。エアドライヤ２は内部に乾燥剤（シリカゲル）を充填し、オゾン発生器３に乾燥空気を供給する。オゾン発生器３は、高電圧の印加によりオゾンを生成する。エアドライヤ２とオゾン発生器３及びアスピレータ４は、管路７、８により直列に接続されている。
【０００９】
オゾン発生器３とアスピレータ４とを接続する管路８に３ポート電磁切換弁９が介装されている。アスピレータ４は、オゾン発生器３から供給されるオゾンと原水を混合してオゾン水を製造するもので、原水供給管路１１に介装され、原水が通過する際の負圧作用によりオゾンを吸引して原水に混合溶解させる。
【００１０】
３ポート電磁切換弁９の遊休ポートには、エアポンプ５が管路１２により接続されている。エアポンプ５は、エアドライヤ２の乾燥剤を再生するために、エアドライヤ２に乾燥空気供給時と逆方向に再生用空気を送給するものである。原水供給管路１１は、気液分離器６に接続されている。気液分離器６は、原水に溶解できなかったオゾンを余剰オゾンとして分離する。余剰オゾンが分離されたオゾン水は、オゾン水供給管路１３から外部に供給される。
【００１１】
上記したオゾン水製造装置１に於いてオゾン水を製造する場合は、３ポート電磁切換弁９を切換えてエアポンプ５とエアドライヤ２とをオゾン発生器３を介在させて接続する再生用空気送給管路を閉じ、エアドライヤ２とアスピレータ４とをオゾン発生器３を介して接続するオゾン供給管路を開く。また、オゾン水製造停止時及びエアドライヤ２の乾燥剤の再生時は、３ポート電磁切換弁９を切換えてオゾン供給管路を閉じ、再生用空気送給管路を開く。オゾン供給管路を閉じることにより、アスピレータ４から原水が逆流してオゾン発生器３に侵入することがない。
【００１２】
エアドライヤ２の乾燥剤の再生時には、エアポンプ５により再生用空気送給管路を送給される再生用空気は、３ポート電磁切換弁９、オゾン発生器３を経てエアドライヤ２に達し（黒矢印）、吸湿した乾燥剤を再生する。
【００１３】
上記オゾン水製造装置１は、従来装置においてオゾン供給管路の遮断用と再生用空気送給用に２個必要であった電磁切換弁を１個に削減でき、製造コストの低減を図ることができる。
【００１４】
（第２実施形態）
本発明の第２実施形態は図２に示すように、上記第１実施形態の構成のオゾン水製造装置１において、オゾン供給管路におけるオゾン発生器３と３ポート電磁切換弁９との間に第１逆止弁１４を介装する。そして、再生用空気送給管路に第１逆止弁１４とオゾン発生器３を迂回してエアドライヤ２に再生用空気を送給するバイパス管路１５を設け、該バイパス管路１５に第２逆止弁１６を介装したものである。
【００１５】
上記構成のオゾン水製造装置１は、オゾン水製造時に３ポート電磁切換弁９により、再生用空気送給管路を閉じオゾン供給管路を開くと、第２逆止弁１６によりバイパス管路１５が閉じられ、エアドライヤ２からオゾン発生器３に乾燥空気が供給される。そして、オゾン水製造停止時及びエアドライヤ２の乾燥剤の再生時は、３ポート電磁切換弁９によりオゾン供給管路を閉じ、再生用空気送給管路を開く。オゾン水の製造停止時に乾燥剤を再生するため、エアポンプ５により再生用空気送給管路に再生用空気を送給すると、第１逆止弁１４によりオゾン発生器３への管路が閉じられ、再生用空気はバイパス管路１５によりオゾン発生器３を迂回してエアドライヤ２に乾燥空気供給時と逆方向に送給される。
【００１６】
従って、エアドライヤ２の乾燥剤の再生時は、乾燥されていない再生用空気がオゾン発生器３を通過しないから、オゾン発生器３の内部が乾燥した状態に保たれる。これにより、図３に示すようにバイパス管路無しの場合オゾン発生器３が生成するオゾン濃度が最大となるのに、オゾン水製造運転開始から２０〜３０分要するのに比し、バイパス管路１５を設けた場合はオゾン水製造運転開始当初から最大濃度のオゾンを生成することができる。
【図面の簡単な説明】
【図１】第１実施形態に係るオゾン水製造装置の概略ブロック図である。
【図２】第２実施形態に係るオゾン水製造装置の概略ブロック図である。
【図３】オゾン発生器の生成するオゾン濃度をバイパス管路の有無により比較したグラフである。
【図４】従来のオゾン水製造装置の概略ブロック図である。
【符号の説明】
１...オゾン水製造装置
２...エアドライヤ
３...オゾン発生器
４...アスピレータ
５...エアポンプ
７...管路
８...管路
９...３ポート電磁切換弁
１２...管路
１４，１６...逆止弁
１５...バイパス管路
【図１】
0003702856.tif 000002
【図２】
0003702856.tif 000003
【図３】
0003702856.tif 000004
【図４】
0003702856.tif 000005